(57)【要約】【解決手段】縦桟１と当該縦桟１に対して横方向に配置される上枠２とで薄壁構造体の枠体を構成する。前記上枠２の垂直壁２ｂの下端縁に、２つの切欠部２ａ，２ａを下向きに形成する。【効果】２つの切欠部２ａ，２ａがあれば、前記縦桟１の左右２つの板体１ｂ，１ｂに上からの荷重が掛からないようにすることができる。また、２つの板体１ｂ，１ｂに形成されている上向きの２つの切欠部１ｃ，１ｃに前記２つの切欠部２ａ，２ａが係合してたとえ縦桟１に荷重が掛かったとしても、前記縦桟１が前記の係合した位置に対して手前側に突弧状に撓む。従って、前記縦桟１の向う側（裏側）での影響を及ぼす変形はないから、前記縦桟１の向う側（裏側）に当該縦桟１に沿って例えば引戸のような構造体があったとしても、その開閉に全く影響がない。また、前記係合により、縦桟１が左右に動かない。【選択図】図６
2015183358.tif 000002
【特許請求の範囲】
【請求項１】
戸袋壁、袖壁、控え壁その他各種の薄壁構造体の枠体の一部である縦桟と、当該縦桟に対して横方向に配置される上枠とで構成され、前記縦桟を前記上枠と平行な板体と当該板体に対して直角方向に配置される板体を有する形状とし、前記縦桟に上からの荷重が掛からないようにするか、たとえ前記上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないようにするための切欠部を、前記上枠の下端縁に形成したことを特徴とする薄壁構造体。
【請求項２】
戸袋壁、袖壁、控え壁その他各種の薄壁構造体の枠体の一部である縦桟と、当該縦桟に対して横方向に配置される上枠とで構成され、前記縦桟を前記上枠と平行な板体と当該板体に対して直角方向に配置される板体を有する形状とし、前記縦桟に初めは上からの荷重が掛からないが、やがて前記上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないようにするための切欠部を、前記上枠の下端縁に形成したことを特徴とする薄壁構造体。
【発明の詳細な説明】
【技術分野】
【０００１】
本発明は、片引き戸や引き分け戸その他各種の引き戸などを開閉自在ならしめるために、仕切壁の開口部などに沿って設置される、戸袋壁、袖壁、控え壁その他各種の薄壁構造体に関するものである。
【背景技術】
【０００２】
戸袋壁、袖壁、控え壁その他各種の薄壁構造体の枠体である縦桟や横桟を木製とすると、施工後の薄壁構造体の場所によって木製材料の水分の吸湿・乾燥などにより収縮し、薄壁構造体に反りが発生する。その結果、各種の引き戸などと薄壁構造体とが擦れて各種の引き戸などに傷が付くか、あるいは、薄壁構造体に貼られている壁紙が剥がれてしまうという問題が生じる。
【０００３】
この欠点を解消するために、木製の縦桟、横桟にわたって薄い金属製の板を貼り付けたり、あるいは、縦桟、横桟を金属製としたり、枠体の端部に位置する木製の縦桟に断面コ字状の補強金物を長手方向に沿って接合させることが提案されている（例えば、特許文献１参照）。
【先行技術文献】
【特許文献】
【０００４】
【特許文献１】特許第４３４４５８８号公報（特許請求の範囲、段落０００８、図４等参照）。
【発明の概要】
【発明が解決しようとする課題】
【０００５】
このように、薄壁構造体の枠体である縦桟や横桟を金属製とすると、木製材料の場合のように水分の吸湿・乾燥などによる反りを回避することはできるが、もう一つの反りの原因である上からの荷重による撓みを解消することはできない。特に、薄壁構造体の枠体である縦桟や横桟が木製である場合には、吸湿による撓みと上からの荷重による撓みによって撓みが増幅されることになる。
【０００６】
第一の発明は、上記のような欠点を解消するべく、上からの荷重が縦桟に直接掛からないようにするか、たとえ上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないように工夫したものである。
【０００７】
また、第二の発明は、上記のような欠点を解消するべく、縦桟に初めは上からの荷重が掛からないが、やがて上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないように工夫したものである。
【課題を解決するための手段】
【０００８】
第一の発明である薄壁構造体は、戸袋壁、袖壁、控え壁その他各種の薄壁構造体の枠体の一部である縦桟と、当該縦桟に対して横方向に配置される上枠とで構成され、前記縦桟を前記上枠と平行な板体と当該板体に対して直角方向に配置される板体を有する形状とし、前記縦桟に上からの荷重が掛からないようにするか、たとえ前記上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないようにするための切欠部を、前記上枠の下端縁に形成したことを特徴とするものである。
【０００９】
この第一の発明においては、前記上枠の下端縁に切欠部が形成されており、この切欠部が前記縦桟に係合するまでは縦桟に上からの荷重が掛からないようにすることができ、また、たとえ前記上枠と平行な板体に対して直角方向に配置される板体のうち前記上枠と平行な板体にできるだけ近いところに切欠部が係合して荷重が掛かったとしても、前記縦桟が前記の係合した位置に対して突弧状に撓むので、前記縦桟に沿って例えば引戸のような構造体があったとしても、その開閉に影響がないという利点がある。また、前記切欠部と縦桟との係合によって、前記縦桟が左右に動かないようにすることができるので、薄壁構造体としての強度を十分に保持することができる。
【００１０】
また、第二の発明である薄壁構造体は、戸袋壁、袖壁、控え壁その他各種の薄壁構造体の枠体の一部である縦桟と、当該縦桟に対して横方向に配置される上枠とで構成され、前記縦桟を前記上枠と平行な板体と当該板体に対して直角方向に配置される板体を有する形状とし、前記縦桟に初めは上からの荷重が掛からないが、やがて前記上枠と平行な板体に対して直角方向に配置される板体のうち前記上枠と平行な板体にできるだけ近いところに係合して荷重が掛かったとしても、前記縦桟が前記の係合した位置に対して突弧状に撓むとともに、前記縦桟が左右に動かないようにするための切欠部を、前記上枠の下端縁に形成したことを特徴とするものである。
【００１１】
この第二の発明においては、前記上枠の下端縁に切欠部が形成されており、この切欠部によって前記縦桟に初めは上からの荷重が掛からないが、やがて前記上枠と平行な板体に対して直角方向に配置される板体のうち前記上枠と平行な板体にできるだけ近いところに係合して荷重が掛かったとしても、前記縦桟が前記の係合した位置に対して突弧状に撓むので、前記縦桟に沿って例えば引戸のような構造体があったとしても、その開閉に影響がないという利点がある。また、前記切欠部と縦桟との係合によって、前記縦桟が左右に動かないようにすることができるので、薄壁構造体としての強度を十分に保持することができる。
【発明の効果】
【００１２】
請求項１記載の発明（第一の発明）によれば、前記縦桟に上からの荷重が掛かって縦桟が変形したとしても、前記縦桟に沿って例えば引戸のような構造体があってもその開閉に影響がないという利点がある。また、前記切欠部と縦桟との係合によって、前記縦桟が左右に動かないようにすることができるので、薄壁構造体としての強度を十分に保持することができる。
【００１３】
請求項２記載の発明（第二の発明）においても、前記縦桟に上からの荷重が掛かって縦桟が変形したとしても、前記縦桟に沿って例えば引戸のような構造体があってもその開閉に影響がないという利点がある。また、前記切欠部と縦桟との係合によって、前記縦桟が左右に動かないようにすることができるので、薄壁構造体としての強度を十分に保持することができる。
【図面の簡単な説明】
【００１４】
【図１】本発明による薄壁構造体の一例である引込戸の手前側の戸袋パネルのみを示すイメージ図である。
【図２】図１に示す戸袋パネルの縦桟上部とこの縦桟に対して横方向に配置される上枠の組付状態の実例を示すイメージ図である。
【図３】図２に示す縦桟上部とこの縦桟に対して横方向に配置される上枠の組付状態の別の実例を示すイメージ図である。
【図４】図２に示す戸袋パネルの縦桟の下部とこの縦桟に対して横方向に配置される下枠の組付状態の実例を示すイメージ図である。
【図５】図３に示す縦桟の下部とこの縦桟に対して横方向に配置される下枠の組付状態の実例を示すイメージ図である。
【図６】上からの荷重が縦桟に直接掛からないようにするための上枠の切欠部の形成例と、縦桟と上枠との様々な組付状態を示す概略図で、上枠と平行な板体に対して直角方向に配置される板体が手前側に形成されている場合を示す。
【図７】上からの荷重が縦桟に直接掛からないようにするための上枠の切欠部の形成例と、縦桟と上枠との様々な組付状態を示す概略図で、上枠と平行な板体に対して直角方向に配置される板体が向う側（奥側）に形成されている場合を示す。
【図８】縦桟に対して横方向に配置される上枠が前記縦桟の奥側の所定位置に係合して縦桟に荷重が掛かり、前記縦桟が前記の係合した位置に対して突弧状に撓む様子を示す概略図である。
【発明を実施するための形態】
【００１５】
本発明による実施の形態について、添付の図面に基づいて詳細に説明する。ここでは、薄壁構造体として引込戸の戸袋パネルを例に挙げて本発明を説明するが、本発明は、戸袋壁、袖壁、控え壁その他各種の薄壁構造体などに適用できる。図１に示す戸袋パネルＡにあっては、戸袋壁、袖壁、控え壁その他各種の薄壁構造体Ｂの開口部ｂの半分を以下に説明する縦桟１と、この縦桟１に対して横方向に配置される上枠２と下枠３とで構成され、その余の開口部（図１の左側の部分）には引込戸が前記上枠２と下枠３に沿って左右にスライド可能に配置されるが、ここでは便宜上それを省略する。
【００１６】
薄壁構造体としての引込戸の戸袋パネルＡにあっては、図１に示すように、その枠体が縦桟１とこの縦桟１に対して横方向に配置される上枠２と下枠３とで構成されている。そして、縦桟１については、図１の左側である戸先側と図１の右側である戸尻側と両者間に位置する中桟の３本の縦桟からなっている。これら３本の縦桟１は壁としての強度、特に前後方向の強度が必要であるから、図２〜図７に示すように、各縦桟１を前記上枠２と平行な板体１ａとこの板体１ａに対して直角方向に配置される板体１ｂを有する形状としてある。
【００１７】
第一の発明では、前記縦桟１に上からの荷重が掛からないようにするか、たとえ前記上枠２の垂直壁２ｂと平行な板体１ａに対して直角方向に配置される板体１ｂのうち前記上枠２の垂直壁２ｂと平行な板体１ａにできるだけ近いところに係合して荷重が掛かったとしても、前記縦桟１が前記の係合した位置に対して突弧状に撓むとともに、前記縦桟１が左右に動かないようにするための切欠部２ａを、前記上枠２の垂直壁２ｂの下端縁に形成する。
【００１８】
また、第二の発明では、前記縦桟１に初めは上からの荷重が掛からないが、やがて前記上枠２の垂直壁２ｂと平行な板体１ａに対して直角方向に配置される板体１ｂのうち前記上枠２の垂直壁２ｂと平行な板体１ａにできるだけ近いところに係合して荷重が掛かったとしても、前記縦桟１が前記の係合した位置に対して突弧状に撓むとともに、前記縦桟１が左右に動かないようにするための切欠部２ａを、前記上枠２の垂直壁２ｂの下端縁に形成する。
【００１９】
これら切欠部２ａの様々な形態について、図６(a)〜図６(f)及び図７(a)〜図７(e)を参照しながら詳細に説明する。ここに例示した切欠部はあくまでも一例であって、ここに例示したものだけに限定されるものではない。
図６(a)〜図６(d)に示す縦桟１は、上枠２の垂直壁２ｂと平行な板体１ａを左右に備えており、両板体１ａ，１ａ間が平面Ｕ字状となっていて前記板体１ａ，１ａと直角方向に配置される２つの板体１ｂ，１ｂを有している。これに対して、図６(e)、図６(f)に示す縦桟１は、上枠２の垂直壁２ｂと平行な板体１ａが片側のみであり、この板体１ａと直角方向に板体１ｂを、さらに、この板体１ｂと直角方向に板体１ｄを有している。
【００２０】
図６(b)、図６(d)に示すように、左右２つの切欠部２ａ，２ａが連なるような大きな１つの切欠部としても良い。また、図６(c)、図６(d)に示すように、縦桟１の前記切欠部１ｃ，１ｃは無くても良い。
【００２１】
図６(e)、図６(f)の場合には、前記上枠２の垂直壁２ｂの下端縁に、１つの切欠部２ａが下向きに形成されている。そして、図６(e)に示す縦桟１には、前記板体１ｂのうち前記上枠２の垂直壁２ｂと平行な板体１ａにできるだけ近いところに、すなわち、前記切欠部２ａに対応する位置に、１つの切欠部１ｃが上向きに形成されている。一方、図６(f) に示す縦桟１には、この上向きの切欠部１ｃが形成されていない代わりに、上枠２の垂直壁２ｂの下端縁に形成されている切欠部２ａが図６(e)の場合よりも長いものとしてある。
【００２２】
図６(a)、図６(c)に示すように、縦桟１の垂直壁２ｂの下端縁に２つの切欠部２ａ，２ａが形成されていると、あるいは、図６(b)、図６(d)〜図６(f)に示すように、縦桟１の垂直壁２ｂの下端縁に１つの切欠部２ａが形成されていると、少なくとも前記２つの切欠部２ａ，２ａが縦桟１の２つの板体１ｂ，１ｂに、あるいは、前記１つの切欠部２ａが縦桟１の２つの板体１ｂ，１ｂないし１つの板体１ｂに係合しない限り、縦桟１に荷重が掛かることはない。したがって、縦桟１に上からの荷重が掛らないようにすることができる。
【００２３】
図６(a)、図６(b)に示す場合において、前記２つの切欠部２ａ，２ａが、あるいは、前記１つの切欠部２ａが、前記上向きの２つの切欠部１ｃ，１ｃに係合して縦桟１の奥側に荷重が掛かると、図６(c)、図６(d)に示す場合において、前記２つの切欠部２ａ，２ａが、あるいは、前記１つの切欠部２ａが、縦桟１の２つの板体１ｂ，１ｂの上端縁に係合して縦桟１の奥側に荷重が掛かると、また、図６(e)に示す場合において、前記切欠部２ａが前記上向きの切欠部１ｃに係合して縦桟１の奥側に荷重が掛かると、さらに、図６(f)に示す場合において、前記切欠部２ａが前記縦桟１の板体１ｂの上端縁に係合して縦桟１の奥側に荷重が掛かると、いずれの場合も前記縦桟１が前記の係合した位置に対して図６の手前側（表側）に突弧状に撓む。したがって、前記縦桟１の向う側（裏側）での影響を及ぼす変形はないから、前記縦桟１の向う側（裏側）に当該縦桟１に沿って例えば引戸のような構造体があったとしても、その開閉に全く影響がない。また、前記係合により、前記縦桟１が左右に動かない。
【００２４】
図６(a)〜図６(f)の右側に、縦桟１と上枠２の組付状態を示す。これらの図から分かるように、上枠２の垂直壁２ｂの向う側（裏側）に縦桟１の左右２つの板体１ａ，１ａないし１つの板体１ａが重なり合う。縦桟１と上枠２の組付後の効果は上述した通りである。なお、図６(a)〜図６(f)の左側と右側の図面符号は同じであるから、図６(a)〜図６(f)の右側における図面符号は省略する。
【００２５】
一方、図７(a)〜図７(e)に示す縦桟１は、上枠２の垂直壁２ｂと平行な板体１ａが左右ではなくて２つの板体１ｂ，１ｂ間に備えられている点で、図６(a)〜図６(f)の場合とは異なっている。また、図７(a)〜図７(e)の場合には、前記２つの板体１ｂ，１ｂと直角方向に板体１ｅ，１ｅをそれぞれ有している。
【００２６】
図７(b)に示すように、左右２つの切欠部２ａ，２ａが連なるような大きな切欠部としても良い。また、図７(d)及び図７(e)に示すように、縦桟１の前記切欠部１ｃ，１ｃは無くても良い。
【００２７】
図７(c)、図７(e)の場合には、前記上枠２の垂直壁２ｂの下端縁であって、縦桟１の左右２つの板体１ｂ，１ｂ間に嵌まり得る幅を有する突部２ｃの両側に、２つの切欠部２ａ，２ａが下向きに形成されている。そして、図７(c)に示す縦桟１の前記両板体１ｂ，１ｂには、前記切欠部２ａ，２ａに対応する位置に切欠部１ｃ，１ｃが上向きに形成されている。一方、図７(e) に示す縦桟１の前記両板体１ｂ，１ｂには、この切欠部１ｃ，１ｃが形成されていない。
【００２８】
図７(a)、図７(c)〜図７(e)に示すように、縦桟１の垂直壁２ｂの下端縁に２つの切欠部２ａ，２ａが形成されていると、あるいは、図７(b)に示すように、縦桟１の垂直壁２ｂの下端縁に１つの切欠部２ａが形成されていると、少なくとも前記２つの切欠部２ａ，２ａが縦桟１の２つの板体１ｂ，１ｂに、あるいは、前記１つの切欠部２ａが縦桟１の２つの板体１ｂ，１ｂに係合しない限り、縦桟１に荷重が掛かることはない。したがって、縦桟１に上からの荷重が掛らないようにすることができる。
【００２９】
図７(a)〜図７(c)に示す場合において、前記２つの切欠部２ａ，２ａが、あるいは、前記１つの切欠部２ａが、前記上向きの切欠部１ｃ，１ｃに係合して縦桟の奥側１に荷重が掛かると、また、図７(d)、図７(e)に示す場合において、前記２つの切欠部２ａ，２ａが前記縦桟１の２つの板体１ｂ，１ｂの上端縁に係合して縦桟１の奥側に荷重が掛かると、いずれの場合も前記縦桟１が前記の係合した位置に対して図７の手前側（表側）に撓む。したがって、前記縦桟１の向う側（裏側）での影響を及ぼす変形はないから、前記縦桟１の向う側（裏側）に当該縦桟１に沿って例えば引戸のような構造体があったとしても、その開閉に全く影響がない。また、前記係合により、前記縦桟１が左右に動かない。
【００３０】
図７(a)〜図７(e)の右側に、縦桟１と上枠２の組付状態を示す。これらの図から分かるように、上枠２の垂直壁２ｂの裏側に縦桟１の板体１ａが重なり合う。縦桟１と上枠２の組付後の効果は上述した通りである。なお、図７(a)〜図７(e)の左側と右側の図面符号は同じであるから、図７(a)〜図７(e)の右側における図面符号は省略する。
【００３１】
図８に、縦桟１に対して横方向に配置される上枠２が前記縦桟１の奥側の所定位置に係合して縦桟１に荷重が掛かり、前記縦桟１が前記の係合した位置に対して突弧状に撓む様子を示す。この場合において、前記縦桟１の向う側（裏側）、すなわち、図８の左側、での影響を及ぼす変形はないから、前記縦桟１の向う側（裏側）に当該縦桟１に沿って例えば引戸のような構造体があったとしても、その開閉に全く影響がない。
【００３２】
図６(a)の右側に示された縦桟１と上枠２の組付状態の実例を、図２に示す。また、図２に示す縦桟１の上部とこの縦桟１に対して横方向に配置される上枠２の組付状態の別の実例を、図３に示す。なお、図３では、縦桟１の左右の板体１ｂ，１ｂと両者間に位置する板体１ｆが図２に示す場合よりも上側に延長されている。
【００３３】
このように、前記縦桟１を前記上枠２と平行な板体１ａと当該板体１ａに対して直角方向に配置される板体１ｂを有する形状とすること、ならびに、前記上枠２の下端縁に下向きの切欠部２ａを形成することについては、上で説明した場合のみに限られず、様々な変更が可能である。
【００３４】
そして、縦桟１は上枠２ないし下枠３にネジＣで固定してある。このようにした場合には、縦桟１の組立を容易に行うことができる。特に、縦桟１に切欠部１ｇが形成されている場合には、前記ネジＣを緩く締めて仮固定しておいた後において前記切欠部１ｇを介して縦桟１を差し込めば良いので、縦桟１の組立がより一層容易になる。
【００３５】
図４、図５では、縦桟１の下側に下向きの切欠部１ｇを形成した場合が示されているのに対し、図２、図３では、縦桟１の上側に上向きの切欠部を形成した場合については示されていないが、上下逆のパターンで、すなわち、縦桟１の上側にも上向きの切欠部を形成しても良い。このようにした場合には、ネジＣを下枠３に仮固定した状態において前記上向きの切欠部を利用して縦桟１を上から差し込めば、縦桟１と上枠２との組付を極めて容易に行うことができる。そして、前記仮固定状態からネジＣを本固定すれば、縦桟１を上枠２及び下枠３に強固に固定することができる。
【００３６】
縦桟１については、アルミニウム、ステンレスその他の金属製としてある。縦桟１をこのような材質とすると、縦桟１が木製材料の場合のような吸湿による反りを回避することができる。
【００３７】
なお、図２、図３に示すように、上枠２は斜め方向に打ち込まれるネジＤにより薄壁構造体Ｂに固定されている。また、図１に示すように、前記縦桟１の両側ないし片側には、木片、合板、樹脂部材などからなる板材Ｅを縦桟１の板体１ａ裏面より取り付け、縦桟１に沿って石膏ボードＦ等を取り付けることが行われる。この場合において、板材Ｅは石膏ボードＦやその他のものを取付可能な最小の幅にすることで、板材Ｅが水分の吸湿・乾燥などにより収縮して反ろうとしても、縦桟１の方が木製その他の素材からなる板材Ｅより十分強度があるので、木製その他の素材からなる板材Ｅの反りの影響を無視できる。
【符号の説明】
【００３８】
１…縦桟、１ａ，１ｂ，１ｅ…板体、１ｃ…切欠部、２…上枠、２ａ…切欠部、２ｂ…垂直壁、２ｃ…突部、３…下枠、Ａ…戸袋パネル、Ｂ…薄壁構造体、ｂ…開口部、Ｃ…ネジ。
【図１】
2015183358.tif 000003
【図２】
2015183358.tif 000004
【図３】
2015183358.tif 000005
【図４】
2015183358.tif 000006
【図５】
2015183358.tif 000007
【図６】
2015183358.tif 000008
【図７】
2015183358.tif 000009
【図８】
2015183358.tif 000010